(57)【要約】【課題】本発明は、一の利用者の要求に応じて他の利用者宅の宅内情報を利用したコンテンツを瞬時かつ、セキュリティー上安全に提供する。【解決手段】本発明の情報管理システムでは、地域情報管理装置は、コンテンツ提供装置からの宅内情報管理装置に関するコンテンツ情報の要求、に応じて、宅内情報管理装置が有する宅内情報と関係付けて記憶した識別子又は、宅内情報管理装置が有する宅内情報を地域情報管理装置とコンテンツ受信装置とで共有する共通鍵で暗号化した宅内暗号情報又は、宅内情報管理装置が有する宅内情報をコンテンツ提供装置に対して送信する。【選択図】図２
2014103500.tif 000002
【特許請求の範囲】
【請求項１】
コンテンツ受信装置とコンテンツ提供装置と地域情報管理装置と宅内情報管理装置とを含んで構成される情報管理システムであって、
前記地域情報管理装置は、
前記コンテンツ提供装置からの前記宅内情報管理装置に関するコンテンツ情報の要求、に応じて、
当該宅内情報管理装置が有する宅内情報を要求された時刻又は、当該宅内情報管理装置が有する当該宅内情報を要求された時刻に近い時刻に取得された当該宅内情報管理装置が有する当該宅内情報と関係付けて記憶した識別子と、
当該宅内情報管理装置が有する当該宅内情報を要求された時刻又は、当該宅内情報管理装置が有する当該宅内情報を要求された時刻に近い時刻に取得された当該宅内情報管理装置が有する当該宅内情報を、当該地域情報管理装置と前記コンテンツ受信装置とで共有する共通鍵で暗号化した宅内暗号情報と、
当該宅内情報管理装置が有する当該宅内情報を要求された時刻又は、当該宅内情報管理装置が有する当該宅内情報を要求された時刻に近い時刻に取得された当該宅内情報管理装置が有する当該宅内情報と、
のうちのいずれか一つを当該宅内情報管理装置に関する当該コンテンツ情報として、当該コンテンツ提供装置に対して送信する
ことを特徴とする情報管理システム。
【請求項２】
前記宅内情報管理装置は、
前記地域情報管理装置が、当該宅内情報管理装置が有する前記宅内情報を要求している場合、当該宅内情報を当該地域情報管理装置に対して送信する
ことを特徴とする請求項１に記載の情報管理システム。
【請求項３】
前記地域情報管理装置は、
前記宅内情報管理装置が有する前記宅内情報を当該地域情報管理装置と前記コンテンツ受信装置とで共有する共通鍵で暗号化した宅内暗号情報を生成する宅内情報暗号部と、
前記宅内情報管理装置が有する前記宅内情報と前記識別子とを関係付けて当該地域情報管理装置が備える宅内情報記憶部に記憶する宅内情報蓄積部と、
のうちのいずれか一つ又は両方を備える
ことを特徴とする請求項１又は請求項２に記載の情報管理システム。
【請求項４】
前記コンテンツ提供装置は、
前記コンテンツ受信装置からのコンテンツの要求又は、前記コンテンツ受信装置からの前記宅内情報管理装置に関する前記コンテンツ情報を利用したコンテンツの要求に応じて、前記宅内情報管理装置に関する前記コンテンツ情報を利用して作成した前記コンテンツを当該コンテンツ受信装置に対して送信する
ことを特徴とする請求項１から請求項３までのいずれか１項に記載の情報管理システム。
【請求項５】
前記コンテンツ受信装置は、コンテンツを再生することを特徴とする請求項１から請求項４までのいずれか１項に記載の情報管理システム。
【発明の詳細な説明】
【技術分野】
【０００１】
本発明は、情報管理システムに関する。
【背景技術】
【０００２】
従来、エネルギー供給者は、電力会社およびガス会社等のエネルギー供給事業者に限定されていた。しかしながら、現在、再生可能エネルギーの普及によってエネルギー供給事業者以外もエネルギーを創造し、供給する立場となってきており、今後も、この傾向は益々加速していくものと考えられる。
【０００３】
一方、再生可能エネルギーは環境の影響を受けるため、安定的にエネルギーを供給することが難しいという課題がある。この課題に対して情報技術を活用して、エネルギー供給事業者から提供されるエネルギー、再生可能エネルギー、蓄積／放出が可能なエネルギー等の全体のエネルギーを管理するスマートグリッドが提案されている。このスマートグリッドにより、再生可能エネルギーの供給が変動したとしても、全体でエネルギーを平準化することで安定化を図ることが可能になる。
【０００４】
また、スマートグリッドは全体のエネルギーの管理が可能であるため、障害の早期検知や予防保守の強化をおこなえることからも注目され、多くの研究、開発および実証実験等がおこなわれるようになってきている。
【０００５】
また、エネルギー消費という観点でも近年、新たな変化があらわれ始めている。例えば、複数のエネルギーから二酸化炭素排出量および料金が安いエネルギーを選択すること等を自動的におこなう宅内エネルギー管理システム（ＨＥＭＳ：Ｈｏｍｅ  Ｅｎｅｒｇｙ  Ｍａｎａｇｅｍｅｎｔ  Ｓｙｓｔｅｍ）の普及によって、高度なエネルギー利用が可能になると期待される。
【０００６】
また、これらのエネルギー消費量に基づいて、エネルギー消費に関するサービス以外のサービスに関する提案もなされるようになってきた。これらのサービスおよび、サービスを実行可能なエネルギー管理システムについては、先行技術文献として、非特許文献１と特許文献１とが開示されている。これらの内容について以下に簡単に説明する。
【０００７】
はじめに、非特許文献１では、地域情報管理システムの概要が開示されている。地域情報管理システムでは、消費電力、動作状態及びセンサ値等の宅内情報が、地域情報管理装置が備えている記憶装置に蓄積され、サービス提供者は、地域情報管理装置の記憶装置に蓄積されている宅内情報を利用したサービスを提供する。
【０００８】
図１は、地域情報管理システムの一例を示した図である。図１によれば、地域情報管理システムは、複数の電子機器（１０１〜１０ｎ）を備える複数の宅内情報管理装置（１１１〜１１ｎ）と、地域情報管理装置１２１と、複数のコンテンツ視聴装置（１４１〜１４ｎ）を備える複数のコンテンツ提供装置（１３１〜１３ｎ）とを備える。但し、ｎは正の整数とする。
【０００９】
複数の電子機器は、電子機器１（１０１）、電子機器２（１０２）、および電子機器３（１０３）から電子機器ｎ（１０ｎ）までで構成される。電子機器１（１０１）と宅内情報管理装置１（１１１）とが電気通信回線で接続され、電子機器２（１０２）と宅内情報管理装置１（１１１）とが電気通信回線で接続され、電子機器３（１０３）から電子機器ｎ（１０ｎ）までの各々と宅内情報管理装置１（１１１）とが電気通信回線を介して接続される。
【００１０】
複数の宅内情報管理装置は、宅内情報管理装置１（１１１）、宅内情報管理装置２（１１２）、および宅内情報管理装置３（１１３）から宅内情報管理装置ｎ（１１ｎ）までで構成される。宅内情報管理装置１（１１１）と地域情報管理装置（１２１）とが電気通信回線を介して接続され、宅内情報管理装置２（１１２）と地域情報管理装置（１２１）とが電気通信回線を介して接続され、宅内情報管理装置３（１１３）から宅内情報管理装置ｎ（１１ｎ）までの各々と地域情報管理装置（１２１）とが電気通信回線を介して接続される。なお、図示を省略しているが、宅内情報管理装置２（１１２）から宅内情報管理装置ｎ（１１ｎ）までの各々は、宅内情報管理装置１（１１１）と同様に、複数の電子機器と電気通信回路を介して接続される。
【００１１】
複数のコンテンツ視聴装置は、コンテンツ視聴装置１（１４１）、コンテンツ視聴装置２（１４２）、およびコンテンツ視聴装置３（１４３）からコンテンツ視聴装置ｎ（１４ｎ）までで構成される。コンテンツ提供装置１（１３１）とコンテンツ視聴装置１（１４１）とが電気通信回線を介して接続され、コンテンツ提供装置１（１３２）とコンテンツ視聴装置２（１４２）とが電気通信回線で接続され、コンテンツ提供装置１（１３１）とコンテンツ視聴装置３（１４３）からコンテンツ視聴装置ｎ（１４ｎ）までの各々とが電気通信回線を介して接続される。
【００１２】
複数のコンテンツ提供装置は、コンテンツ提供装置１（１３１）、コンテンツ提供装置２（１３２）、およびコンテンツ提供装置３（１３３）からコンテンツ提供装置ｎ（１３ｎ）までで構成される。地域情報管理装置（１２１）とコンテンツ提供装置１（１３１）とが電気通信回線を介して接続され、地域情報管理装置（１２１）とコンテンツ提供装置２（１３２）とが電気通信回線を介して接続され、地域情報管理装置（１２１）とコンテンツ提供装置３（１３３）からコンテンツ提供装置ｎ（１３ｎ）までの各々とが電気通信回線を介して接続される。なお、図示を省略しているが、コンテンツ提供装置２（１３２）からコンテンツ提供装置ｎ（１３ｎ）までの各々は、複数のコンテンツ視聴装置と電気通信回路を介して接続される。
【００１３】
以下、図１に示した地域情報管理システムの動作例について説明する。はじめに、電子機器１（１０１）と電子機器２（１０２）と電子機器３（１０３）から電子機器ｎ（１０ｎ）までの各々が、保持している宅内情報を宅内情報管理装置１（１１１）に対して送信する。
【００１４】
次に、宅内情報管理装置１（１１１）が、電子機器１（１０１）と電子機器２（１０２）と電子機器３（１０３）から電子機器ｎ（１０ｎ）までの各々から送信された宅内情報を受信した場合、宅内情報管理装置１（１１１）は、受信された宅内情報を宅内情報管理装置１（１１１）が備える記憶装置に蓄積する。
【００１５】
次に、宅内情報管理装置１（１１１）と宅内情報管理装置２（１１２）と宅内情報管理装置３（１１３）から宅内情報管理装置ｎ（１１ｎ）までの各々が、各々が備える記憶装置に蓄積されている宅内情報を地域情報管理装置（１２１）に対して送信する。
【００１６】
次に、地域情報管理装置（１２１）が、宅内情報管理装置１（１１１）と宅内情報管理装置２（１１２）と宅内情報管理装置３（１１３）から宅内情報管理装置ｎ（１１ｎ）までの各々から送信された宅内情報を受信した場合、地域情報管理装置（１２１）は、受信された宅内情報を地域情報管理装置（１２１）が備える記憶装置に蓄積する。
【００１７】
最後に、コンテンツ提供装置１（１３１）とコンテンツ提供装置２（１３２）とコンテンツ提供装置３（１３３）からコンテンツ提供装置ｎ（１３ｎ）までの各々が、地域情報管理装置（１２１）が備える記憶装置に蓄積されている宅内情報を利用して、コンテンツ視聴装置１（１４１）とコンテンツ視聴装置２（１４２）とコンテンツ視聴装置３（１４３）からコンテンツ視聴装置ｎ（１４ｎ）までの各々に対するコンテンツを作成する。その後、コンテンツ提供装置１（１３１）とコンテンツ提供装置２（１３２）とコンテンツ提供装置３（１３３）からコンテンツ提供装置ｎ（１３ｎ）までの各々が、作成されたコンテンツをコンテンツ視聴装置１（１４１）とコンテンツ視聴装置２（１４２）とコンテンツ視聴装置３（１４３）からコンテンツ視聴装置ｎ（１４ｎ）までの各々に提供する。
【００１８】
次に、特許文献１には、非特許文献１で開示されているシステムと類似のシステムを利用した独居老人の見守りサービスについて開示されている。具体的には、地域情報管理装置に蓄積されている独居老人宅の宅内情報に基づいて、見守る側の利用者に独居老人の安否を報知する。例えば、冷蔵庫等の常時稼動する家電機器を除く電力量の合計の計測値と人感検知センサを設けた電気料金表示器と音声検知センサを設けた電気料金表示器のセンサ情報を突き合わせ、独居老人などの在宅あるいは不在を精度よく検出して、家族へメールなどで知らせる。
【先行技術文献】
【特許文献】
【００１９】
【特許文献１】特開２０１１−２５４４４１号公報
【非特許文献】
【００２０】
【非特許文献１】“スマートハウス情報活用基盤に関する検討活動中間報告”、一般財団法人日本情報経済社会推進協会
【発明の概要】
【発明が解決しようとする課題】
【００２１】
非特許文献１では、宅内情報管理装置から送信された宅内情報が地域情報管理装置に蓄積され、コンテンツ提供装置は、地域情報管理装置に蓄積されている宅内情報を含んだコンテンツを作成する。しかしながら、コンテンツ提供装置が要求した時刻の宅内情報を取得するためには、宅内情報管理装置が短周期で宅内情報を地域情報管理装置に対して送信しなければならない。
【００２２】
特許文献１では、地域情報管理装置に蓄積されている見守られる側の利用者宅の宅内情報に基づいて、コンテンツ提供装置が、見守られる側の利用者の異常を判断し、異常と判断した場合、見守る側の利用者に対して異常を報知する。一方、見守られる側の利用者宅の宅内情報に基づいて、自動的に見守られる側の利用者の異常を特定することは難しく、特に異常の見落としについては問題となると考えられる。したがって、見守られる側の利用者宅の宅内情報を見守る側の利用者に対して提供し、見守る側の利用者が提供された宅内情報を監視する必要があると考えられる。
【００２３】
また、特許文献１で開示されている方法によれば、見守られる側の利用者宅の宅内情報を短周期で地域情報管理装置に対して送信しなければならなくなるため、見守られる側の利用者宅の数に比例してトラフィックが増えると予想される。この場合、地域情報管理装置の記憶容量及び回線速度の仕様が現実的なものでなくなると考えられる。
【００２４】
以上から、見守る側の要求に応じて見守られる側の利用者宅の宅内情報が提供されることが望ましいが、見守る側の利用者の要求に応じて見守られる側の利用者宅の宅内情報を瞬時に報知する方法については開示されていない。
【００２５】
本発明は上述のことを鑑みてなされたもので、一の利用者の要求に応じて他の利用者宅の宅内情報を利用したコンテンツを瞬時かつ、セキュリティー上安全に提供する情報管理システムを提案する。
【課題を解決するための手段】
【００２６】
本発明の一観点によれば、情報管理システムは、コンテンツ受信装置とコンテンツ提供装置と地域情報管理装置と宅内情報管理装置とを含んで構成され、地域情報管理装置は、コンテンツ提供装置からの宅内情報管理装置に関するコンテンツ情報の要求、に応じて、宅内情報管理装置が有する宅内情報を要求された時刻又は、宅内情報管理装置が有する宅内情報を要求された時刻に近い時刻に取得された宅内情報管理装置が有する宅内情報と関係付けて記憶した識別子と、宅内情報管理装置が有する宅内情報を要求された時刻又は、宅内情報管理装置が有する宅内情報を要求された時刻に近い時刻に取得された宅内情報管理装置が有する宅内情報を、地域情報管理装置とコンテンツ受信装置とで共有する共通鍵で暗号化した宅内暗号情報と、宅内情報管理装置が有する宅内情報を要求された時刻又は、宅内情報管理装置が有する宅内情報を要求された時刻に近い時刻に取得された宅内情報管理装置が有する宅内情報と、のうちのいずれか一つを宅内情報管理装置に関するコンテンツ情報として、コンテンツ提供装置に対して送信する。
【００２７】
本発明の一観点によれば、宅内情報管理装置は、地域情報管理装置が、宅内情報管理装置が有する宅内情報を要求している場合、宅内情報を地域情報管理装置に対して送信することが好ましい。
【００２８】
本発明の一観点によれば、地域情報管理装置は、宅内情報管理装置が有する宅内情報を地域情報管理装置とコンテンツ受信装置とで共有する共通鍵で暗号化した宅内暗号情報を生成する宅内情報暗号部と、宅内情報管理装置が有する宅内情報と識別子とを関係付けて地域情報管理装置が備える宅内情報記憶部に記憶する宅内情報蓄積部と、のうちのいずれか一つ又は両方を備えることが好ましい。
【００２９】
本発明の一観点によれば、コンテンツ提供装置は、コンテンツ受信装置からのコンテンツの要求又は、コンテンツ受信装置からの宅内情報管理装置に関するコンテンツ情報を利用したコンテンツの要求に応じて、宅内情報管理装置に関するコンテンツ情報を利用して作成したコンテンツをコンテンツ受信装置に対して送信することが好ましい。
【００３０】
本発明の一観点によれば、コンテンツ受信装置は、コンテンツを再生することが好ましい。
【００３１】
尚、上記各構成要件は、技術的に可能な限り、任意に取捨選択できるものとする。また、情報管理システムに含まれる各装置の構成により特定される発明も含まれる。
【発明の効果】
【００３２】
本発明によれば、一の利用者の要求に応じて他の利用者宅の宅内情報を利用したコンテンツを瞬時かつ、セキュリティー上安全に提供することが可能となる。
【図面の簡単な説明】
【００３３】
【図１】非特許文献１において開示されている、地域情報管理システムの一例を示す図である。
【図２】第１の実施形態における情報管理システムの一例を示す図である。
【図３Ａ】全ての実施形態における宅内情報管理装置の機能ブロックを示す図である。
【図３Ｂ】全ての実施形態における地域情報管理装置の機能ブロックを示す図である。
【図３Ｃ】全ての実施形態におけるコンテンツ提供装置の機能ブロックを示す図である。
【図３Ｄ】全ての実施形態におけるコンテンツ受信装置の機能ブロックを示す図である。
【図４Ａ】第１の実施形態における情報管理システムで実行される処理の流れの一例を示すフローチャート図である。
【図４Ｂ】第１の実施形態における情報管理システムで実行される処理の流れの一例を示すフローチャート図である。
【図５】第２の実施形態における情報管理システムの一例を示す図である。
【図６Ａ】第２の実施形態における情報管理システムで実行される処理の流れの一例を示すフローチャート図である。
【図６Ｂ】第２の実施形態における情報管理システムで実行される処理の流れの一例を示すフローチャート図である。
【図６Ｃ】第２の実施形態における情報管理システムで実行される処理の流れの一例を示すフローチャート図である。
【図７Ａ】第３の実施形態における情報管理システムで実行される処理の流れの一例を示すフローチャート図である。
【発明を実施するための形態】
【００３４】
以下、添付図面を参照して本発明の実施形態について説明する。なお、添付図面は本発明の原理に則った具体的な実施形態と実装例を示しているが、これらは本発明の理解のためのものであり、決して本発明を限定的に解釈するために用いられるものではない。
【００３５】
＜第１実施形態＞
第１の実施形態では、図２の情報管理システムを想定している。図２によれば、情報管理システムは、複数の電子機器（５１１〜５１ｎ）を備える複数の宅内情報管理装置（５２１〜５２ｎ）と、地域情報管理装置５３１と、複数のコンテンツ受信装置（５５１〜５５ｎ）を備える複数のコンテンツ提供装置（５４１〜５４ｎ）とを備える。但し、ｎは正の整数とする。
【００３６】
複数の電子機器は、電子機器１（５１１）、電子機器２（５１２）、および電子機器３（５１３）から電子機器ｎ（５１ｎ）までで構成される。電子機器１（５１１）と宅内情報管理装置１（５２１）とが電気通信回線を介して接続され、電子機器２（５１２）と宅内情報管理装置１（５２１）とが電気通信回線を介して接続され、電子機器３（５１３）から電子機器ｎ（５１ｎ）までの各々と宅内情報管理装置１（５２１）とが電気通信回線を介して接続される。
【００３７】
複数の宅内情報管理装置は、宅内情報管理装置１（５２１）、宅内情報管理装置２（５２２）、および宅内情報管理装置３（５２３）から宅内情報管理装置ｎ（５２ｎ）までで構成される。宅内情報管理装置１（５２１）と地域情報管理装置（５３１）とが電気通信回線を介して接続され、宅内情報管理装置２（５２２）と地域情報管理装置（５３１）とが電気通信回線を介して接続され、宅内情報管理装置３（５２３）から宅内情報管理装置ｎ（５２ｎ）までの各々と地域情報管理装置（５３１）とが電気通信回線を介して接続される。なお、図示を省略しているが、宅内情報管理装置２（５２２）から宅内情報管理装置ｎ（５２ｎ）までの各々は、宅内情報管理装置１（５２１）と同様に、複数の電子機器と電気通信回路を介して接続される。
【００３８】
複数のコンテンツ提供装置は、コンテンツ提供装置１（５４１）、コンテンツ提供装置２（５４２）、およびコンテンツ提供装置３（５４３）からコンテンツ提供装置ｎ（５４ｎ）までで構成される。地域情報管理装置（５３１）とコンテンツ提供装置１（５４１）とが電気通信回線を介して接続され、地域情報管理装置（５３１）とコンテンツ提供装置２（５４２）とが電気通信回線を介して接続され、地域情報管理装置（５３１）とコンテンツ提供装置３（５４３）からコンテンツ提供装置ｎ（５４ｎ）までの各々とが電気通信回線を介して接続される。
【００３９】
複数のコンテンツ受信装置は、コンテンツ受信装置１（５５１）、コンテンツ受信装置２（５５２）、およびコンテンツ受信装置３（５５３）からコンテンツ受信装置ｎ（５５ｎ）までで構成される。コンテンツ提供装置１（５４１）とコンテンツ受信装置１（５５１）とが電気通信回線を介して接続され、コンテンツ提供装置１（５４１）とコンテンツ受信装置２（５５２）とが電気通信回線を介して接続され、コンテンツ提供装置１（５４１）とコンテンツ受信装置３（５５３）からコンテンツ受信装置ｎ（５５ｎ）までの各々とが電気通信回線を介して接続される。また、コンテンツ提供装置２（５４２）とコンテンツ受信装置１（５５１）とが電気通信回線を介して接続され、コンテンツ提供装置２（５４２）とコンテンツ受信装置２（５５２）とが電気通信回線を介して接続され、コンテンツ提供装置２（５４２）とコンテンツ受信装置３（５５３）からコンテンツ受信装置ｎ（５５ｎ）までの各々とが電気通信回線を介して接続される。さらに、コンテンツ提供装置３（５４３）からコンテンツ提供装置ｎ（５４ｎ）までの各々とコンテンツ受信装置１（５５１）とが電気通信回線を介して接続され、コンテンツ提供装置３（５４３）からコンテンツ提供装置ｎ（５４ｎ）までの各々とコンテンツ受信装置２（５５２）とが電気通信回線を介して接続され、コンテンツ提供装置３（５４３）からコンテンツ提供装置ｎ（５４ｎ）までの各々とコンテンツ受信装置３（５５３）からコンテンツ受信装置ｎ（５５ｎ）までの各々とが電気通信回線を介して接続されているものとする。図２では、図を分かり易くするために、接続線が省略されている。なお、コンテンツ提供装置（５４１〜５４ｎ）とコンテンツ受信装置（５５１〜５５ｎ）との電気通信回線を介した接続は、上述の接続に限らなくても良い。例えば、コンテンツ提供装置１（５４１）とコンテンツ受信装置ｎ（５５ｎ）とが接続されていなくても良い。
【００４０】
図３Ａは、宅内情報管理装置１（５２１）の詳細を示す図である。また、図３Ｂは、地域情報管理装置（５３１）の詳細を示す図である。図３Ｃは、コンテンツ提供装置１（５４１）の詳細を示す図である。また、図３Ｄは、コンテンツ受信装置１（５５１）の詳細を示す図である。
【００４１】
図３Ａに示すように、宅内情報管理装置１（５２１）は、宅内情報記憶部（５２１−１）と、送信部（５２１−２）と、受信部（５２１−３）と、宅内情報取得部（５２１−４）とを備える。なお、宅内情報管理装置２（５２２）から宅内情報管理装置ｎ（５２ｎ）についても、同様の構成を備える。なお、宅内情報管理装置１（５２１）が備える宅内情報記憶部（５２１−１）には、電子機器１（５１１）と電子機器２（５１２）と電子機器３（５１３）から電子機器ｎ（５１ｎ）までの各々とから送信された宅内情報が蓄積される。
【００４２】
図３Ｂに示すように、地域情報管理装置（５３１）は、受信部（５３１−１）と、認証情報記憶部（５３１−２）と、認証部（５３１−３）と、宅内情報要求記憶部（５３１−４）と、宅内情報要求蓄積部（５３１−５）と、宅内情報要求取得部（５３１−６）と、送信部（５３１−７）と、瞬時情報管理番号取得部（５３１−８）と、宅内情報取得部（５３１−９）と、宅内情報記憶部（５３１−１０）と、宅内情報蓄積部（５３１−１１）と、を備える。
【００４３】
認証情報記憶部（５３１−２）には、コンテンツ提供装置（５４１〜５４ｎ）毎に異なる識別子と宅内情報管理装置（５２１〜５２ｎ）毎に異なる識別子とが関係付けて蓄積される。
認証部（５３１−３）は、認証情報に基づいて特定したコンテンツ提供装置（５４１〜５４ｎ）毎に異なる識別子と宅内情報管理装置（５２１〜５２ｎ）毎に異なる識別子との関係付けが認証情報記憶部（５３１−２）に蓄積されているかどうかを確認する。
宅内情報要求記憶部（５３１−４）には、瞬時情報管理番号と宅内情報管理装置（５２１〜５２ｎ）毎に異なる識別子と宅内情報要求信号とが関係付けて蓄積される。
宅内情報要求蓄積部（５３１−５）は、瞬時情報管理番号と宅内情報管理装置（５２１〜５２ｎ）毎に異なる識別子と宅内情報要求信号とを関係付けて宅内情報要求記憶部（５３１−４）に蓄積する。
【００４４】
瞬時情報管理番号取得部（５３１−８）は、宅内情報要求信号毎に異なる瞬時情報管理番号を作成する。ここで、瞬時情報管理番号とは、コンテンツ提供装置毎に異なる識別子と宅内情報管理装置毎に異なる識別子とを組み合わせたものであっても良いし、ランダムなものであっても良い。
宅内情報記憶部（５３１−１０）には、瞬時情報管理番号と宅内情報とが関係付けて蓄積される。
宅内情報取得部（５３１−９）は、瞬時情報管理番号と関係付けて宅内情報記憶部（５３１−１０）に蓄積されている宅内情報を取得する。
宅内情報蓄積部（５３１−１１）は、瞬時情報管理番号と宅内情報とを関係付けて宅内情報記憶部（５３１−１０）に蓄積する。
【００４５】
図３Ｃに示すように、コンテンツ提供装置１（５４１）は、受信部（５４１−１）と、送信部（５４１−２）と、コンテンツ作成部（５４１−３）とを備える。なお、コンテンツ提供装置２（５４２）からコンテンツ提供装置ｎ（５４ｎ）についても、同様の構成を備える。
【００４６】
図３Ｄに示すように、コンテンツ受信装置１（５５１）は、送信部（５５１−１）と、受信部（５５１−２）と、コンテンツ再生部（５５１−３）とを備える。なお、コンテンツ受信装置２（５５２）からコンテンツ受信装置ｎ（５５ｎ）についても、同様の構成を備える。
【００４７】
図４Ａは、第１の実施形態における情報管理システムで実行される処理の流れの一例を示すフローチャート図である。
【００４８】
なお、以降、宅内情報管理装置１（５２１）で実行される動作の説明のみをおこなうが、宅内情報管理装置２（５２２）から宅内情報管理装置ｎ（５２ｎ）までの各々とで実行される動作の説明は、宅内情報管理装置１（５２１）で実行される動作の説明と同一であるため、宅内情報管理装置２（５２２）から宅内情報管理装置ｎ（５２ｎ）までの各々とで実行される動作の説明はおこなわない。
また、以降、コンテンツ提供装置１（５４１）で実行される動作の説明のみをおこなうが、コンテンツ提供装置２（５４２）からコンテンツ提供装置ｎ（５４ｎ）までの各々とで実行される動作の説明は、コンテンツ提供装置１（５４１）で実行される動作の説明と同一であるため、コンテンツ提供装置２（５４２）からコンテンツ提供装置ｎ（５４ｎ）までの各々とで実行される動作の説明はおこなわない。
また、以降、コンテンツ受信装置１（５５１）で実行される動作の説明のみをおこなうが、コンテンツ受信装置２（５５２）からコンテンツ受信装置ｎ（５５ｎ）までの各々とで実行される動作の説明は、コンテンツ受信装置１（５５１）で実行される動作の説明と同一であるため、コンテンツ受信装置２（５５２）からコンテンツ受信装置ｎ（５５ｎ）までの各々とで実行される動作の説明はおこなわない。
【００４９】
（ステップＡ１）
コンテンツ受信装置１（５５１）の送信部（５５１−１）は、コンテンツ提供装置（ここでは、コンテンツ提供装置１（５４１））に対してコンテンツ要求信号を送信する。ここで、コンテンツ要求信号とは、宅内情報管理装置毎に異なる識別子と宅内情報要求信号とを含んで構成されるものとする。また、宅内情報要求信号とは、宅内情報管理装置１（５２１）が備える宅内情報記憶部（５２１−１）に蓄積されている宅内情報の内のいずれかを指定するものである。例えば、宅内情報管理装置１（５２１）が備える宅内情報記憶部（５２１−１）に、宅内情報としてセンサ情報と機器種別と時刻とが関係付けて蓄積されているものとする。ここで、宅内情報要求信号として、センサ情報が「温度」で、機器種別が「エアコン」で、時刻が「２００５年５月１日から２００６年３月１日まで」、という内容が含まれているものとすると、コンテンツ受信装置１（５５１）は、宅内情報管理装置（５２１）が備える宅内情報記憶部（５２１−１）に蓄積されている宅内情報の内、センサ情報が「温度」で、機器種別が「エアコン」で、時刻が「２００５年５月１日から２００６年３月１日まで」、であることに該当する宅内情報を要求することになる。以上がコンテンツ受信装置１（５５１）で実行される。
【００５０】
以下のステップＡ２、Ａ３は、コンテンツ提供装置１（５４１）で実行される。
（ステップＡ２）
コンテンツ提供装置１（５４１）の受信部（５４１−１）は、コンテンツ受信装置１（５５１）から送信されたコンテンツ要求信号を受信する。コンテンツ提供装置１（５４１）の受信部（５４１−１）が、コンテンツ受信装置１（５５１）から送信された宅内情報要求信号を受信した場合、コンテンツ提供装置１（５４１）では以下が実行される。なお、コンテンツ提供装置１（５４１）の受信部（５４１−１）が、コンテンツ受信装置１（５５１）から送信された宅内情報要求信号を受信しない場合、コンテンツ提供装置１（５４１）は待機する。
【００５１】
（ステップＡ３）
コンテンツ提供装置１（５４１）の送信部（５４１−２）は、認証情報と、受信部（５４１−１）が受信したコンテンツ要求信号に含まれる宅内情報管理装置毎に異なる識別子と、宅内情報要求信号と、を地域情報管理装置（５３１）に対して送信する。ここで認証情報とは、地域情報管理装置（５３１）における認証で利用されるものであり、認証方法によって異なるが、例えばベーシック認証である場合、ＩＤ（Ｉｄｅｎｔｉｆｉｃａｔｉｏｎ）とパスワードとする。
以上がコンテンツ提供装置１（５４１）で実行される。
【００５２】
以下のステップＡ４〜Ａ６は、地域情報管理装置（５３１）で実行される。
（ステップＡ４）
地域情報管理装置（５３１）の受信部（５３１−１）は、コンテンツ提供装置１（５４１）から送信された認証情報と宅内情報管理装置毎に異なる識別子と宅内情報要求信号とを受信する。受信部（５３１−１）が、コンテンツ提供装置１（５４１）から送信された認証情報と宅内情報管理装置毎に異なる識別子と宅内情報要求信号とを受信した場合、地域情報管理装置（５３１）では以下が実行される。なお、受信部（５３１−１）が、コンテンツ提供装置１（５４１）から送信された認証情報と宅内情報管理装置毎に異なる識別子と宅内情報要求信号とを受信しない場合、地域情報管理装置（５３１）は待機する。
【００５３】
（ステップＡ５）
ここで、予め、コンテンツ提供装置毎に異なる識別子と宅内情報管理装置毎に異なる識別子との関係付けが認証情報記憶部（５３１−２）に蓄積されているものとする。
地域情報管理装置（５３１）の認証部（５３１−３）は、受信部（５３１−１）で受信された認証情報に基づいてコンテンツ提供装置毎に異なる識別子を特定し、特定したコンテンツ提供装置毎に異なる識別子と、受信部（５３１−１）で受信された宅内情報管理装置毎に異なる識別子との関係付けが認証情報記憶部（５３１−２）に蓄積されているかどうかを確認し、特定したコンテンツ提供装置毎に異なる識別子と、受信部（５３１−１）で受信された宅内情報管理装置毎に異なる識別子と、の関係付けが認証情報記憶部（５３１−２）に蓄積されている場合、以下が実行される。なお、特定したコンテンツ提供装置毎に異なる識別子と、受信部（５３１−１）で受信された宅内情報管理装置毎に異なる識別子と、の関係付けが認証情報記憶部（５３１−２）に蓄積されていない場合、（ステップＡ４）に戻る。
【００５４】
（ステップＡ６）
瞬時情報管理番号取得部（５３１−８）は、宅内情報要求信号毎に異なる瞬時情報管理番号を作成する。
宅内情報要求蓄積部（５３１−５）は、瞬時情報管理番号取得部（５３１−８）で作成された瞬時情報管理番号と、受信部（５３１−１）で受信された宅内情報管理装置毎に異なる識別子と宅内情報要求信号と、を関係付けて宅内情報要求記憶部（５３１−４）に蓄積する。
以上が地域情報管理装置（５３１）で実行される。
【００５５】
図４Ｂは、第１の実施形態における情報管理システムで実行される処理の流れの一例を示すフローチャート図である。
【００５６】
（ステップＢ１）
ここで、宅内情報管理装置１（５２１）が備える宅内情報記憶部（５２１−１）には、電子機器１（５１１）と電子機器２（５１２）と電子機器３（５１３）から電子機器ｎ（５１ｎ）までの各々とから送信された宅内情報が蓄積されているものとする。
宅内情報管理装置１（５２１）の送信部（５２１−２）は、予め定められた周期で、宅内情報要求確認信号を地域情報管理装置（５３１）に対して送信する。ここで、宅内情報要求確認信号とは、宅内情報管理装置毎に異なる識別子を含んで構成される。この例では、宅内情報要求確認信号は、宅内情報管理装置１（５２１）を識別する識別子を含む。
以上が宅内情報管理装置１（５２１）で実行される。
【００５７】
以下のステップＢ２〜Ｂ５は、地域情報管理装置（５３１）で実行される。
（ステップＢ２）
地域情報管理装置（５３１）の受信部（５３１−１）は、宅内情報管理装置１（５２１）から送信された宅内情報要求確認信号を受信する。受信部（５３１−１）が、宅内情報管理装置１（５２１）から送信された宅内情報要求確認信号を受信した場合、地域情報管理装置（５３１）では以下が実行される。なお、受信部（５３１−１）が、宅内情報管理装置１（５２１）から送信された宅内情報要求確認信号を受信しない場合、地域情報管理装置（５３１）は待機する。
【００５８】
（ステップＢ３）
地域情報管理装置（５３１）の宅内情報要求取得部（５３１−６）は、宅内情報管理装置１（５２１）から送信された宅内情報要求確認信号に基づいて、宅内情報要求記憶部（５３１−４）に蓄積されている情報の中に、宅内情報管理装置１（５２１）の識別子と関連付けられている瞬時情報管理番号と宅内情報要求信号とがあるかを確認する。これにより、宅内情報要求取得部（５３１−６）は、瞬時情報管理番号と宅内情報要求信号とを宅内情報管理装置１（５２１）に対して送信するか、瞬時情報管理番号と宅内情報要求信号とを宅内情報管理装置１（５２１）に対して送信しないか、を判断する。なお、宅内情報要求記憶部（５３１−４）に蓄積されている情報の中に、宅内情報管理装置１（５２１）の識別子と関連付けられている瞬時情報管理番号と宅内情報要求信号とがない場合は、瞬時情報管理番号と宅内情報要求信号とを宅内情報管理装置１（５２１）に対して送信しないと判断する。
【００５９】
（ステップＢ４）
宅内情報要求取得部（５３１−６）は、受信部（５３１−１）で受信した宅内情報管理装置毎に異なる識別子と関係付けて宅内情報要求記憶部（５３１−４）に蓄積されている瞬時情報管理番号と宅内情報要求信号とを取得する。
【００６０】
（ステップＢ５）
送信部（５３１−７）は、宅内情報要求取得部（５３１−６）で取得された瞬時情報管理番号と宅内情報要求信号とを宅内情報管理装置１（５２１）に対して送信する。
以上が地域情報管理装置（５３１）で実行される。
【００６１】
以下のステップＢ６〜Ｂ８は、宅内情報管理装置１（５２１）で実行される。
（ステップＢ６）
宅内情報管理装置１（５２１）の受信部（５２１−３）は、地域情報管理装置（５３１）から送信された瞬時情報管理番号と宅内情報要求信号とを受信する。受信部（５２１−３）が、地域情報管理装置（５３１）から送信された瞬時情報管理番号と宅内情報要求信号とを受信した場合、宅内情報管理装置１（５２１）では以下が実行される。なお、受信部（５２１−３）が、地域情報管理装置（５３１）から送信された瞬時情報管理番号と宅内情報要求信号とを受信しない場合、宅内情報管理装置１（５２１）は待機する。
【００６２】
（ステップＢ７）
宅内情報取得部（５２１−４）は、受信部（５２１−３）で受信した宅内情報要求信号に基づいて、宅内情報記憶部（５２１−１）に蓄積されている宅内情報の一部又は全てを取得する。
【００６３】
（ステップＢ８）
送信部（５２１−２）は、受信部（５２１−３）で受信した瞬時情報管理番号と、宅内情報取得部（５２１−４）で取得された宅内情報の一部又は全てと、を地域情報管理装置（５３１）に対して送信する。
以上が宅内情報管理装置１（５２１）で実行される。
【００６４】
以下のステップＢ９〜ＢＢは、地域情報管理装置（５３１）で実行される。
（ステップＢ９）
地域情報管理装置（５３１）の受信部（５３１−１）は、宅内情報管理装置１（５２１）から送信された瞬時情報管理番号と宅内情報とを受信する。受信部（５３１−１）が、宅内情報管理装置１（５２１）から送信された瞬時情報管理番号と宅内情報とを受信した場合、地域情報管理装置（５３１）では以下が実行される。なお、受信部（５３１−１）が、宅内情報管理装置１（５２１）から送信された瞬時情報管理番号と宅内情報とを受信しない場合、地域情報管理装置（５３１）は待機する。
【００６５】
（ステップＢＡ）
宅内情報蓄積部（５３１−１１）は、受信部（５３１−１）で受信された瞬時情報管理番号と宅内情報とを関係付けて宅内情報記憶部（５３１−１０）に蓄積する。
宅内情報取得部（５３１−９）は、瞬時情報管理番号と関係付けて宅内情報記憶部（５３１−１０）に蓄積されている宅内情報を取得した後、瞬時情報管理番号と関係付けて宅内情報記憶部（５３１−１０）に蓄積されている宅内情報を消去する。
【００６６】
（ステップＢＢ）
送信部（５３１−７）は、宅内情報取得部（５３１−９）で取得した宅内情報をコンテンツ提供装置１（５４１）に対して送信する。
以上が地域情報管理装置（５３１）で実行される。
なお、地域情報管理装置（５３１）が処理能力が高いサーバ等で構成されていれば、ステップＢ１からＢＢまでの処理は非常に短い時間で行うことができる。したがって、例えば、図４ＡのステップＡ６の処理が終了した時点で、宅内情報管理装置１（５２１）から送信された宅内情報要求確認信号を受信した場合（ステップＢ２）、地域情報管理装置（５３１）は、宅内情報を要求された時刻で宅内情報を取得することができる。そうでない場合でも、宅内情報管理装置１（５２１）が地域情報管理装置（５３１）に対して宅内情報要求確認信号を送信する周期で宅内情報を取得することができるため、地域情報管理装置（５３１）は、宅内情報を要求された時刻に近い時刻で宅内情報を取得することができる。
【００６７】
以下のステップＢＣ〜ＢＥは、コンテンツ提供装置１（５４１）で実行される。
（ステップＢＣ）
コンテンツ提供装置１（５４１）の受信部（５４１−１）は、地域情報管理装置（５３１）から送信された宅内情報を受信する。受信部（５４１−１）が、地域情報管理装置（５３１）から送信された宅内情報を受信した場合、コンテンツ提供装置１（５４１）では以下が実行される。なお、受信部（５４１−１）が、地域情報管理装置（５３１）から送信された宅内情報を受信しない場合、コンテンツ提供装置１（５４１）は待機する。
【００６８】
（ステップＢＤ）
コンテンツ作成部（５４１−３）は、受信部（５４１−１）で受信された宅内情報を利用したコンテンツを作成する。
【００６９】
（ステップＢＥ）
送信部（５４１−２）は、コンテンツ作成部（５４１−３）で作成されたコンテンツをコンテンツ受信装置（５５１）に対して送信する。
以上がコンテンツ提供装置（５４１）で実行される。
【００７０】
以下のステップＢＦは、コンテンツ受信装置１（５５１）で実行される。
（ステップＢＦ）
コンテンツ受信装置１（５５１）の受信部（５５１−２）は、コンテンツ提供装置１（５４１）から送信されたコンテンツを受信する。受信部（５５１−２）が、コンテンツ提供装置１（５４１）から送信されたコンテンツを受信した場合、コンテンツ受信装置１（５５１）では以下が実行される。なお、受信部（５５１−２）が、コンテンツ提供装置１（５４１）から送信されたコンテンツを受信しない場合、コンテンツ受信装置１（５５１）は待機する。
（ステップＢＧ）
コンテンツ再生部（５５１−３）は、受信部（５５１−２）で受信されたコンテンツを利用者に視聴させる。
【００７１】
第１の実施形態を用いることによって、以下の効果を得ることが可能となる。
第１の実施形態では、コンテンツ受信装置（５５１〜５５ｎ）からコンテンツの要求があった場合、コンテンツ提供装置（５４１〜５４ｎ）は、地域情報管理装置（５３１）に対して宅内情報を要求する。宅内情報管理装置（５２１〜５２ｎ）は、宅内情報の要求を地域情報管理装置（５３１）に確認し、要求がある場合、宅内情報を地域情報管理装置（５３１）に対して送信する。コンテンツ提供装置（５４１〜５４ｎ）は、地域情報管理装置（５３１）を介して取得した宅内情報を含んだコンテンツを作成し、コンテンツ受信装置（５５１〜５５ｎ）に対してコンテンツを提供する。
【００７２】
したがって、一の利用者からコンテンツ提供装置（５４１〜５４ｎ）に対して他の利用者宅の宅内情報を含んだコンテンツの要求があった場合、他の利用者宅の宅内情報管理装置（５２１〜５２ｎ）がコンテンツ提供装置（５４１〜５４ｎ）の要求に応じて宅内情報を地域情報管理装置（５３１）に対して送信し、地域情報管理装置（５３１）は、宅内情報を受信したタイミングで、宅内情報をコンテンツ提供装置（５４１〜５４ｎ）に対して送信するため、一の利用者は瞬時に他の利用者宅の宅内情報を含んだコンテンツを受信できる。また、宅内情報管理装置（５２１〜５２ｎ）から送信された宅内情報を地域情報管理装置（５３１）に蓄積しないため、地域情報管理装置（５３１）が有する記憶装置の容量は少なく済む。ここで瞬時とは、およそ宅内情報管理装置（５２１〜５２ｎ）が地域情報管理装置（５３１）に対して宅内情報要求確認信号を送信する周期に等しい。
【００７３】
＜第２実施形態＞
第２の実施形態では、図５の情報管理システムを想定している。第２の実施形態における情報管理システムと、第１の実施形態で示した情報管理システムとの差異は、コンテンツ受信装置１（５５１）と地域情報管理装置（５３１）とが電気通信回線を介して接続され、コンテンツ受信装置２（５５２）と地域情報管理装置（５３１）とが電気通信回線を介して接続され、コンテンツ受信装置３（５５３）からコンテンツ受信装置ｎ（５５ｎ）までの各々と地域情報管理装置（５３１）とが電気通信回線を介して接続されていることである。
【００７４】
第２の実施形態において、宅内情報管理装置（５２１〜５２ｎ）は、図３Ａで説明した構成と同様の構成を備える。
【００７５】
また、地域情報管理装置（５３１）は、図３Ｂで説明した構成と同様の構成を備え、コンテンツ提供装置（５４１〜５４ｎ）は、図３Ｃで説明した構成と同様の構成を備え、コンテンツ受信装置（５５１〜５５ｎ）は、図３Ｄで説明した構成と同様の構成を備える。
【００７６】
図６Ａは、第２の実施形態における情報管理システムで実行される処理の流れの一例を示すフローチャート図である。
【００７７】
なお、以降、宅内情報管理装置１（５２１）で実行される動作の説明のみをおこなうが、宅内情報管理装置２（５２２）から宅内情報管理装置ｎ（５２ｎ）までの各々とで実行される動作の説明は、宅内情報管理装置１（５２１）で実行される動作の説明と同一であるため、宅内情報管理装置２（５２２）から宅内情報管理装置ｎ（５２ｎ）までの各々とで実行される動作の説明はおこなわない。
また、以降、コンテンツ提供装置１（５４１）で実行される動作の説明のみをおこなうが、コンテンツ提供装置２（５４２）からコンテンツ提供装置ｎ（５４ｎ）までの各々とで実行される動作の説明は、コンテンツ提供装置１（５４１）で実行される動作の説明と同一であるため、コンテンツ提供装置２（５４２）からコンテンツ提供装置ｎ（５４ｎ）までの各々とで実行される動作の説明はおこなわない。
また、以降、コンテンツ受信装置１（５５１）で実行される動作の説明のみをおこなうが、コンテンツ受信装置２（５５２）からコンテンツ受信装置ｎ（５５ｎ）までの各々とで実行される動作の説明は、コンテンツ受信装置１（５５１）で実行される動作の説明と同一であるため、コンテンツ受信装置２（５５２）からコンテンツ受信装置ｎ（５５ｎ）までの各々とで実行される動作の説明はおこなわない。
【００７８】
以下のステップＣ１は、コンテンツ受信装置１（５５１）で実行される。
（ステップＣ１）
コンテンツ受信装置１（５５１）の送信部（５５１−１）は、コンテンツ提供装置（ここでは、コンテンツ提供装置１（５４１））に対してコンテンツ要求信号を送信する。ここで、コンテンツ要求信号とは、利用者毎に異なる識別子と宅内情報管理装置毎に異なる識別子と宅内情報要求信号を含んで構成されるものとする。また、宅内情報要求信号とは、宅内情報管理装置（５２１）が備える宅内情報記憶部（５２１−１）に蓄積されている宅内情報の内のいずれかを指定するものである。例えば、宅内情報管理装置１（５２１）が備える宅内情報記憶部（５２１−１）に、宅内情報としてセンサ情報と機器種別と時刻とが関係付けて蓄積されているものとし、宅内情報要求信号として、センサ情報が温度で、機器種別がエアコンで、時刻が２００５年５月１日から２００６年３月１日まで、という内容が含まれているものとする。コンテンツ受信装置１（５５１）は、宅内情報管理装置１（５２１）の宅内情報記憶部（５２１−１）に蓄積されている宅内情報の内、センサ情報が温度で、機器種別がエアコンで、時刻が２００５年５月１日から２００６年３月１日まで、であることに該当する宅内情報を要求することになる。
以上がコンテンツ受信装置１（５５１）で実行される。
【００７９】
以下のステップＣ２〜Ｃ３は、コンテンツ提供装置１（５４１）で実行される。
（ステップＣ２）
コンテンツ提供装置１（５４１）の受信部（５４１−１）は、コンテンツ受信装置１（５５１）から送信されたコンテンツ要求信号を受信する。受信部（５４１−１）が、コンテンツ受信装置１（５５１）から送信された宅内情報要求信号を受信した場合、コンテンツ提供装置１（５４１）では以下が実行される。なお、受信部（５４１−１）が、コンテンツ受信装置１（５５１）から送信された宅内情報要求信号を受信しない場合、コンテンツ提供装置１（５４１）は待機する。
【００８０】
（ステップＣ３）
送信部（５４１−２）は、受信部（５４１−１）が受信したコンテンツ要求信号に含まれる利用者毎に異なる識別子と宅内情報管理装置毎に異なる識別子と宅内情報要求信号とを地域情報管理装置（５３１）に対して送信する。
以上がコンテンツ提供装置１（５４１）で実行される。
【００８１】
以下のステップＣ４〜Ｃ６は、地域情報管理装置（５３１）で実行される。
（ステップＣ４）
地域情報管理装置（５３１）の受信部（５３１−１）は、コンテンツ提供装置１（５４１）から送信された利用者毎に異なる識別子と宅内情報管理装置毎に異なる識別子と宅内情報要求信号とを受信する。受信部（５３１−１）が、コンテンツ提供装置１（５４１）から送信された利用者毎に異なる識別子と宅内情報管理装置毎に異なる識別子と宅内情報要求信号とを受信した場合、地域情報管理装置（５３１）では以下が実行される。なお、受信部（５３１−１）が、コンテンツ提供装置１（５４１）から送信された利用者毎に異なる識別子と宅内情報管理装置毎に異なる識別子と宅内情報要求信号とを受信しない場合、地域情報管理装置（５３１）は待機する。
【００８２】
（ステップＣ５）
ここで、地域情報管理装置（５３１）において、予め、利用者毎に異なる識別子と宅内情報管理装置毎に異なる識別子との関係付けが認証情報記憶部（５３１−２）に蓄積されているものとする。
認証部（５３１−３）は、受信部（５３１−１）で受信された利用者毎に異なる識別子と宅内情報管理装置毎に異なる識別子との関係付けが認証情報記憶部（５３１−２）に蓄積されているかどうかを確認する。受信部（５３１−１）で受信された利用者毎に異なる識別子と宅内情報管理装置毎に異なる識別子との関係付けが認証情報記憶部（５３１−２）に蓄積されている場合、以下が実行される。受信部（５３１−１）で受信された利用者毎に異なる識別子と宅内情報管理装置毎に異なる識別子との関係付けが認証情報記憶部（５３１−２）に蓄積されていない場合、（ステップＣ４）に戻る。
【００８３】
（ステップＣ６）
瞬時情報管理番号取得部（５３１−８）は、宅内情報要求信号毎に異なる瞬時情報管理番号を作成する。
宅内情報要求蓄積部（５３１−５）は、瞬時情報管理番号取得部（５３１−８）で作成された瞬時情報管理番号と、受信部（５３１−１）で受信された宅内情報管理装置毎に異なる識別子と宅内情報要求信号とを関係付けて宅内情報要求記憶部（５３１−４）に蓄積する。
以上が地域情報管理装置（５３１）で実行される。
【００８４】
図６Ｂは、第２の実施形態における情報管理システムで実行される処理の流れの一例を示すフローチャート図である。図６Ｃは、第２の実施形態における情報管理システムで実行される処理の流れの一例を示すフローチャート図であり、図６Ｂのフローの続きを示す。
【００８５】
（ステップＤ１）
ここで、宅内情報記憶部（５２１−１）には、電子機器１（５１１）と電子機器２（５１２）と電子機器３（５１３）から電子機器ｎ（５１ｎ）までの各々とから送信された宅内情報が蓄積されているものとする。
宅内情報管理装置１（５２１）の送信部（５２１−２）は、予め定められた周期で、宅内情報要求確認信号を地域情報管理装置（５３１）に対して送信する。ここで、宅内情報要求確認信号とは、宅内情報管理装置毎に異なる識別子を含んで構成される。以上が宅内情報管理装置１（５２１）で実行される。
【００８６】
以下のステップＤ２〜Ｄ５は、地域情報管理装置（５３１）で実行される。
（ステップＤ２）
地域情報管理装置（５３１）の受信部（５３１−１）は、宅内情報管理装置１（５２１）から送信された宅内情報要求確認信号を受信する。受信部（５３１−１）が、宅内情報管理装置１（５２１）から送信された宅内情報要求確認信号を受信した場合、地域情報管理装置（５３１）では以下が実行される。なお、受信部（５３１−１）が、宅内情報管理装置１（５２１）から送信された宅内情報要求確認信号を受信しない場合、地域情報管理装置（５３１）は待機する。
【００８７】
（ステップＤ３）
地域情報管理装置（５３１）の宅内情報要求取得部（５３１−６）は、宅内情報管理装置１（５２１）から送信された宅内情報要求確認信号に基づいて、宅内情報要求記憶部（５３１−４）に蓄積されている情報の中に、宅内情報管理装置１（５２１）の識別子と関連付けられている瞬時情報管理番号と宅内情報要求信号とがあるかを確認する。これにより、宅内情報要求取得部（５３１−６）は、瞬時情報管理番号と宅内情報要求信号とを宅内情報管理装置１（５２１）に対して送信するか、瞬時情報管理番号と宅内情報要求信号とを宅内情報管理装置１（５２１）に対して送信しないか、を判断する。なお、宅内情報要求記憶部（５３１−４）に蓄積されている情報の中に、宅内情報管理装置１（５２１）の識別子と関連付けられている瞬時情報管理番号と宅内情報要求信号とがない場合は、瞬時情報管理番号と宅内情報要求信号とを宅内情報管理装置１（５２１）に対して送信しないと判断する。
【００８８】
（ステップＤ４）
宅内情報要求取得部（５３１−６）は、受信部（５３１−１）で受信した宅内情報要求確認信号に含まれる宅内情報管理装置毎に異なる識別子と関係付けて宅内情報要求記憶部（５３１−４）に蓄積されている瞬時情報管理番号と宅内情報要求信号とを取得する。
【００８９】
（ステップＤ５）
送信部（５３１−７）は、宅内情報要求取得部（５３１−６）で取得された瞬時情報管理番号と宅内情報要求信号とを宅内情報管理装置１（５２１）に対して送信する。
以上が地域情報管理装置（５３１）で実行される。
【００９０】
以下のステップＤ６〜Ｄ８は、宅内情報管理装置１（５２１）で実行される。
（ステップＤ６）
宅内情報管理装置１（５２１）の受信部（５２１−３）は、地域情報管理装置（５３１）から送信された瞬時情報管理番号と宅内情報要求信号とを受信する。受信部（５２１−３）が、地域情報管理装置（５３１）から送信された瞬時情報管理番号と宅内情報要求信号とを受信した場合、宅内情報管理装置１（５２１）では以下が実行される。なお、受信部（５２１−３）が、地域情報管理装置（５３１）から送信された瞬時情報管理番号と宅内情報要求信号とを受信しない場合、宅内情報管理装置１（５２１）は待機する。
【００９１】
（ステップＤ７）
宅内情報取得部（５２１−４）は、受信部（５２１−３）で受信した宅内情報要求信号に基づいて、宅内情報記憶部（５２１−１）に蓄積されている宅内情報の一部又は全てを取得する。
【００９２】
（ステップＤ８）
送信部（５２１−２）は、受信部（５２１−３）で受信した瞬時情報管理番号と、宅内情報取得部（５２１−４）で取得された宅内情報の一部又は全てとを地域情報管理装置（５３１）に対して送信する。
以上が宅内情報管理装置１（５２１）で実行される。
【００９３】
以下のステップＤ９〜ＤＢは、地域情報管理装置（５３１）で実行される。
（ステップＤ９）
地域情報管理装置（５３１）の受信部（５３１−１）は、宅内情報管理装置１（５２１）から送信された瞬時情報管理番号と宅内情報とを受信する。受信部（５３１−１）が、宅内情報管理装置１（５２１）から送信された瞬時情報管理番号と宅内情報とを受信した場合、地域情報管理装置（５３１）では以下が実行される。なお、受信部（５３１−１）が、宅内情報管理装置１（５２１）から送信された瞬時情報管理番号と宅内情報とを受信しない場合、地域情報管理装置（５３１）は待機する。
【００９４】
（ステップＤＡ）
宅内情報蓄積部（５３１−１１）は、受信部（５３１−１）で受信された瞬時情報管理番号と宅内情報と、受信部（５３１−１）で受信された瞬時情報管理番号と関係付けて宅内情報要求記憶部（５３１−４）に蓄積されている利用者毎に異なる識別子と、を関係付けて宅内情報記憶部（５３１−１０）に蓄積する。
【００９５】
（ステップＤＢ）
送信部（５３１−７）は、瞬時情報管理番号取得部（５３１−８）で作成された瞬時情報管理番号をコンテンツ提供装置１（５４１）に対して送信する。
以上が地域情報管理装置（５３１）で実行される。
なお、地域情報管理装置（５３１）が処理能力が高いサーバ等で構成されていれば、ステップＤ１からＤＢまでの処理は非常に短い時間で行うことができる。したがって、例えば、図６ＡのステップＣ６の処理が終了した時点で、宅内情報管理装置１（５２１）から送信された宅内情報要求確認信号を受信した場合（ステップＤ２）、地域情報管理装置（５３１）は、宅内情報を要求された時刻で宅内情報を取得することができる。そうでない場合でも、宅内情報管理装置１（５２１）が地域情報管理装置（５３１）に対して宅内情報要求確認信号を送信する周期で宅内情報を取得することができるため、地域情報管理装置（５３１）は、宅内情報を要求された時刻に近い時刻で宅内情報を取得することができる。
【００９６】
以下のステップＤＣ〜ＤＥは、コンテンツ提供装置１（５４１）で実行される。
（ステップＤＣ）
コンテンツ提供装置１（５４１）の受信部（５４１−１）は、地域情報管理装置（５３１）から送信された瞬時情報管理番号を受信する。受信部（５４１−１）が、地域情報管理装置（５３１）から送信された瞬時情報管理番号を受信した場合、コンテンツ提供装置１（５４１）では以下が実行される。なお、受信部（５４１−１）が、地域情報管理装置（５３１）から送信された瞬時情報管理番号を受信しない場合、コンテンツ提供装置１（５４１）は待機する。
【００９７】
（ステップＤＤ）
コンテンツ作成部（５４１−３）は、受信部（５４１−１）で受信された瞬時情報管理番号を利用したコンテンツを作成する。
【００９８】
（ステップＤＥ）
送信部（５４１−２）は、コンテンツ作成部（５４１−３）で作成されたコンテンツをコンテンツ受信装置１（５５１）に対して送信する。
以上がコンテンツ提供装置１（５４１）で実行される。
【００９９】
以下のステップＤＦ〜ＤＧは、コンテンツ受信装置１（５５１）で実行される。
（ステップＤＦ）
コンテンツ受信装置１（５５１）の受信部（５５１−２）は、コンテンツ提供装置（５４１）から送信されたコンテンツを受信する。受信部（５５１−２）が、コンテンツ提供装置１（５４１）から送信されたコンテンツを受信した場合、コンテンツ受信装置１（５５１）では以下が実行される。なお、受信部（５５１−２）が、コンテンツ提供装置（５４１）から送信されたコンテンツを受信しない場合、コンテンツ受信装置１（５５１）は待機する。
【０１００】
（ステップＤＧ）
コンテンツ再生部（５５１−３）は、受信部（５５１−２）で受信されたコンテンツに含まれる瞬時情報管理番号を取得する。
送信部（５５１−１）は、認証情報とコンテンツ再生部（５５１−３）で取得された瞬時情報管理番号とを地域情報管理装置（５３１）に対して送信する。ここで認証情報とは、認証方法によって異なるが、例えばベーシック認証である場合、ＩＤ（Ｉｄｅｎｔｉｆｉｃａｔｉｏｎ）とパスワードとする。
以上がコンテンツ受信装置１（５５１）で実行される。
【０１０１】
以下のステップＤＨ〜ＤＪは、地域情報管理装置（５３１）で実行される。
（ステップＤＨ）
地域情報管理装置（５３１）の受信部（５３１−１）は、コンテンツ受信装置１（５５１）から送信された認証情報と瞬時情報管理番号とを受信する。受信部（５３１−１）が、コンテンツ受信装置１（５５１）から送信された認証情報と瞬時情報管理番号とを受信した場合、地域情報管理装置（５３１）では以下が実行される。受信部（５３１−１）が、コンテンツ受信装置１（５５１）から送信された認証情報と瞬時情報管理番号とを受信しない場合、地域情報管理装置（５３１）は待機する。
【０１０２】
（ステップＤＩ）
宅内情報取得部（５３１−９）は、受信部（５３１−１）で受信された認証情報に基づいて特定された利用者毎に異なる識別子と受信部（５３１−１）で受信された瞬時情報管理番号と関係付けて宅内情報記憶部（５３１−１０）に蓄積されている宅内情報を取得した後、受信部（５３１−１）で受信された瞬時情報管理番号と関係付けて宅内情報記憶部（５３１−１０）に蓄積されている宅内情報を消去する。
【０１０３】
（ステップＤＪ）
送信部（５３１−７）は、宅内情報取得部（５３１−９）で取得された宅内情報をコンテンツ受信装置１（５５１）に対して送信する。
以上が地域情報管理装置（５３１）で実行される。
【０１０４】
以下のステップＤＫ〜ＤＬは、コンテンツ受信装置１（５５１）で実行される。
（ステップＤＫ）
コンテンツ受信装置１（５５１）の受信部（５５１−２）は、地域情報管理装置（５３１）から送信された宅内情報を受信する。受信部（５５１−２）が、地域情報管理装置（５３１）から送信された宅内情報を受信した場合、コンテンツ受信装置１（５５１）では以下が実行される。なお、受信部（５５１−２）が、地域情報管理装置（５３１）から送信された宅内情報を受信しない場合、コンテンツ受信装置１（５５１）は待機する。
【０１０５】
（ステップＤＬ）
コンテンツ再生部（５５１−３）は、受信部（５５１−２）で受信されたコンテンツと宅内情報と、に基づくコンテンツをコンテンツ受信装置１（５５１）の利用者に視聴させる。
以上がコンテンツ受信装置１（５５１）で実行される。
【０１０６】
第２の実施形態を用いることによって、以下の効果を得ることが可能となる。
第２の実施形態では、コンテンツ受信装置（５５１〜５５ｎ）からコンテンツの要求があった場合、コンテンツ提供装置（５４１〜５４ｎ）は、地域情報管理装置（５３１）に対して宅内情報を要求する。宅内情報管理装置（５２１〜５２ｎ）は、宅内情報の要求を地域情報管理装置（５３１）に確認し、要求がある場合、宅内情報を地域情報管理装置（５３１）に対して送信する。コンテンツ提供装置（５４１〜５４ｎ）は、宅内情報と関係付けられている瞬時情報管理番号を含んだコンテンツを作成し、コンテンツ受信装置（５５１〜５５ｎ）に対してコンテンツを提供する。コンテンツ受信装置（５５１〜５５ｎ）は、瞬時情報管理番号に該当する宅内情報を地域情報管理装置（５３１）から取得し、取得した宅内情報を含んだコンテンツを作成する。
【０１０７】
したがって、一の利用者からコンテンツ提供装置（５４１〜５４ｎ）に対して他の利用者宅の宅内情報を含んだコンテンツの要求があった場合、他の利用者宅の宅内情報管理装置（５２１〜５２ｎ）が、コンテンツ提供装置（５４１〜５４ｎ）の要求に応じて宅内情報を地域情報管理装置（５３１）に対して送信し、コンテンツ提供装置（５４１〜５４ｎ）は、一の利用者に他の利用者宅の宅内情報が蓄積されている場所を含んだコンテンツを送信するため、一の利用者は瞬時に他の利用者宅の宅内情報を含んだコンテンツを受信できる。また、宅内情報がコンテンツ提供装置（５４１〜５４ｎ）に送信されることはないため、第１の実施形態と比較して宅内情報が漏洩する危険性が減少する。
【０１０８】
＜第３実施形態＞
第３の実施形態は、第１の実施形態におけるステップＢＢ以降のみが異なるため、同一である第１の実施形態におけるステップＡ１〜ＢＡまでの説明はおこなわず、ステップＢＢ以降についてのみ以下に説明する。
また、宅内情報管理装置（５２１〜５２ｎ）は、図３Ａで説明した構成と同様の構成を備え、地域情報管理装置（５３１）は、図３Ｂで説明した構成と同様の構成を備え、コンテンツ提供装置（５４１〜５４ｎ）は、図３Ｃで説明した構成と同様の構成を備え、コンテンツ受信装置（５５１〜５５ｎ）は、図３Ｄで説明した構成と同様の構成を備える。
【０１０９】
図７Ａは、第３の実施形態における情報管理システムで実行される処理の流れの一例を示すフォローチャートである。
以下のステップＢＢ、ＢＣは、地域情報管理装置（５３１）で実行される。
（ステップＢＢ）
宅内情報取得部（５３１−９）は、取得した宅内情報を、地域情報管理装置（５３１）とコンテンツ受信装置１（５５１）とで共有する共通鍵を利用して暗号化した宅内暗号情報を作成する。
【０１１０】
（ステップＢＣ）
送信部（５３１−７）は、宅内情報取得部（５３１−９）で作成した宅内暗号情報をコンテンツ提供装置１（５４１）に対して送信する。
以上が地域情報管理装置（５３１）で実行される。
【０１１１】
以下のステップＢＤ〜ＢＦは、コンテンツ提供装置１（５４１）で実行される。
（ステップＢＤ）
コンテンツ提供装置１（５４１）の受信部（５４１−１）は、地域情報管理装置（５３１）から送信された宅内暗号情報を受信する。受信部（５４１−１）が、地域情報管理装置（５３１）から送信された宅内暗号情報を受信した場合、コンテンツ提供装置１（５４１）では以下が実行される。なお、受信部（５４１−１）が、地域情報管理装置（５３１）から送信された宅内暗号情報を受信しない場合、コンテンツ提供装置１（５４１）は待機する。
【０１１２】
（ステップＢＥ）
コンテンツ作成部（５４１−３）は、受信部（５４１−１）で受信された宅内暗号情報を利用したコンテンツを作成する。
【０１１３】
（ステップＢＦ）
送信部（５４１−２）は、コンテンツ作成部（５４１−３）で作成したコンテンツをコンテンツ受信装置１（５５１）に対して送信する。
以上がコンテンツ提供装置１（５４１）で実行される。
【０１１４】
以下のステップＢＧ、ＢＨは、コンテンツ受信装置１（５５１）で実行される。
（ステップＢＧ）
コンテンツ受信装置１（５５１）の受信部（５５１−２）は、コンテンツ提供装置１（５４１）から送信されたコンテンツを受信する。受信部（５５１−２）が、コンテンツ提供装置１（５４１）から送信されたコンテンツを受信した場合、コンテンツ受信装置１（５５１）では以下が実行される。なお、受信部（５５１−２）が、コンテンツ提供装置１（５４１）から送信されたコンテンツを受信しない場合、コンテンツ受信装置１（５５１）は待機する。
【０１１５】
（ステップＢＨ）
コンテンツ再生部（５５１−３）は、コンテンツに含まれる宅内暗号情報をコンテンツ受信装置１（５４１）と地域情報管理装置（５３１）とで共有する共通鍵を利用して復号し、宅内情報を取得する。また、コンテンツ再生部（５５１−３）は、受信部（５５１−２）で受信されたコンテンツと取得した宅内情報と、に基づくコンテンツをコンテンツ受信装置１（５５１）の利用者に視聴させる。
【０１１６】
第３の実施形態を用いることによって、以下の効果を得ることが可能となる。
第１の実施形態では、宅内情報管理装置（５２１〜５２ｎ）は、宅内情報の要求を地域情報管理装置（５３１）に確認し、宅内情報の要求がある場合、宅内情報を地域情報管理装置（５３１）に対して送信する。地域情報管理装置（５３１）は、受信した宅内情報をコンテンツ提供装置（５４１〜５４ｎ）に対して送信する。コンテンツ提供装置（５４１〜５４ｎ）は、受信した宅内情報を利用したコンテンツを作成し、作成したコンテンツをコンテンツ受信装置（５５１〜５５ｎ）に対して提供する。
第３の実施形態では、宅内情報管理装置（５２１〜５２ｎ）は、宅内情報の要求を地域情報管理装置（５３１）に確認し、宅内情報の要求がある場合、宅内情報を地域情報管理装置（５３１）に対して送信する。地域情報管理装置（５３１）は、受信した宅内情報を地域情報管理装置（５３１）と共有するコンテンツ受信装置（５５１〜５５ｎ）毎に異なる共通鍵で暗号化した宅内暗号情報を作成し、作成した宅内暗号情報をコンテンツ提供装置（５４１〜５４ｎ）に対して送信する。コンテンツ提供装置（５４１〜５４ｎ）は、受信した宅内暗号情報を利用したコンテンツを作成し、作成したコンテンツをコンテンツ受信装置（５５１〜５５ｎ）に対して提供する。
【０１１７】
したがって、第３の実施形態では、コンテンツ提供装置（５４１〜５４ｎ）に対して暗号化された宅内情報を送信するため、第１の実施形態と比較して、宅内情報が漏洩する危険性が減少する。
【０１１８】
第２の実施形態では、コンテンツ受信装置（５５１〜５５ｎ）はコンテンツに含まれる瞬時情報管理番号を地域情報管理装置（５３１）に対して送信する。地域情報管理装置（５３１）は、受信した瞬時情報管理番号と関係付けられている宅内情報をコンテンツ受信装置（５５１〜５５ｎ）に対して送信する。コンテンツ受信装置（５５１〜５５ｎ）は、地域情報管理装置（５３１）から送信された宅内情報を受信する。
第３の実施形態では、コンテンツ受信装置（５５１〜５５ｎ）は、コンテンツに含まれる宅内暗号情報を地域情報管理装置（５３１）と共有するコンテンツ受信装置（５５１〜５５ｎ）毎に異なる共通鍵で復号し、宅内情報を取得する。
【０１１９】
したがって、第３の実施形態では、地域情報管理装置（５３１）からコンテンツ受信装置（５５１〜５５ｎ）に対して宅内情報を送信する必要がないため、第２の実施形態と比較して、宅内情報が漏洩する危険性が減少する。
【０１２０】
以上の第１の実施形態から第３の実施形態までで説明した各装置は、複数の機能を実現するためのプログラムをコンピュータ読み取り可能な記録媒体に記録して、この記録媒体に記録されたプログラムをコンピュータシステムに読み込ませ、実行することによって、各機能部の処理を実現してもよい。なお、ここでいう「コンピュータシステム」とは、ＯＳ（Ｏｐｅｒａｔｉｎｇ  Ｓｙｓｔｅｍ）や周辺機器等のハードウェアを含むものとする。
【０１２１】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【０１２２】
また、前記プログラムは前述した機能の一部を実現するためのものであってもよく、さらに前述した機能をコンピュータシステムに既に記録されているプログラムとの組み合わせで実現できるものであってもよい。
【０１２３】
また、上記プログラムを格納した「記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１２４】
以上の第１の実施形態から第３の実施形態までで説明した、各装置の各機能部は、これらの機能を実現する回路デバイス、ＩＣ（Ｉｎｔｅｇｒａｔｅｄ  Ｃｉｒｃｕｉｔ）などの集積回路、などのハードウェアを用いて構成することができる。また、これら機能部はそれぞれ個別に構成してもよいし、複数の機能部を単一のハードウェアによって構成することもできる。また、半導体技術の進歩によりＩＣに代替する集積回路化の技術が出現した場合、当該技術による集積回路を用いることも可能である。
【０１２５】
以上の第１の実施形態から第３の実施形態までで説明した、添付図面に図示されている構成などについては、これらに限定されるものではなく、本発明の効果を発揮する範囲内で適宜変更することが可能である。その他、本発明の目的の範囲を逸脱しない限りにおいて適宜変更して実施することが可能である。
【０１２６】
また、上述の実施形態において、制御線や情報線は、説明上必要と考えられるものを示しており、製品上必ずしも全ての制御線や情報線を示しているとは限らない。全ての構成が相互に接続されていてもよい。
【０１２７】
本発明の一観点によれば、情報管理システムは、コンテンツ受信装置（５５１〜５５ｎ）とコンテンツ提供装置（５４１〜５４ｎ）と地域情報管理装置（５３１）と宅内情報管理装置（５２１〜５２ｎ）とを含んで構成され、地域情報管理装置（５３１）は、コンテンツ提供装置（５４１〜５４ｎ）からの宅内情報管理装置（５２１〜５２ｎ）に関するコンテンツ情報の要求、に応じて、宅内情報管理装置（５２１〜５２ｎ）が有する宅内情報を要求された時刻又は、宅内情報管理装置（５２１〜５２ｎ）が有する宅内情報を要求された時刻に近い時刻に取得された宅内情報管理装置（５２１〜５２ｎ）が有する宅内情報と関係付けて記憶した識別子と、宅内情報管理装置（５２１〜５２ｎ）が有する宅内情報を要求された時刻又は、宅内情報管理装置（５２１〜５２ｎ）が有する宅内情報を要求された時刻に近い時刻に取得された宅内情報管理装置（５２１〜５２ｎ）が有する宅内情報を、地域情報管理装置（５３１）とコンテンツ受信装置（５５１〜５５ｎ）とで共有する共通鍵で暗号化した宅内暗号情報と、宅内情報管理装置（５２１〜５２ｎ）が有する宅内情報を要求された時刻又は、宅内情報管理装置（５２１〜５２ｎ）が有する宅内情報を要求された時刻に近い時刻に取得された宅内情報管理装置（５２１〜５２ｎ）が有する宅内情報と、のうちのいずれか一つを宅内情報管理装置（５２１〜５２ｎ）に関するコンテンツ情報として、コンテンツ提供装置（５４１〜５４ｎ）に対して送信する。
【０１２８】
本発明の一観点によれば、地域情報管理装置（５３１）は、定期的に宅内情報を収集及び蓄積する必要なく、最新の宅内情報を得ることができる。したがって、地域情報管理装置（５３１）の記憶容量を少なくすることが可能である。
また、宅内情報を推定することができない識別子（瞬時情報管理番号等）をコンテンツ提供装置（５４１〜５４ｎ）に対して送信するため、宅内情報をコンテンツ提供装置（５４１〜５４ｎ）に対して送信する場合よりも、情報漏洩の危険性が少なくなる。
また、宅内情報管理装置（５２１〜５２ｎ）が有する宅内情報を地域情報管理装置（５３１）と共有するコンテンツ受信装置（５５１〜５５ｎ）毎に異なる共通鍵で暗号化した宅内暗号情報をコンテンツ提供装置（５４１〜５４ｎ）に対して送信するため、宅内情報をコンテンツ提供装置（５４１〜５４ｎ）に対して送信する場合よりも、情報漏洩の危険性が少なくなる。
【０１２９】
本発明の一観点によれば、宅内情報管理装置（５２１〜５２ｎ）は、地域情報管理装置（５３１）が、宅内情報管理装置（５２１〜５２ｎ）が有する宅内情報を要求している場合、宅内情報を地域情報管理装置（５３１）に対して送信することが好ましい。
【０１３０】
この構成によれば、地域情報管理装置（５３１）は、最新の宅内情報管理装置（５２１〜５２ｎ）が有する宅内情報を取得することができる。
また、宅内情報管理装置（５２１〜５２ｎ）が有する宅内情報の要求については、コンテンツ提供装置（５４１〜５４ｎ）からの要求を中継したものであってもよいし、地域情報管理装置（５３１）が要求したものであってもよい。
【０１３１】
本発明の一観点によれば、地域情報管理装置（５３１）は、宅内情報管理装置（５２１〜５２ｎ）が有する宅内情報を地域情報管理装置（５３１）とコンテンツ受信装置（５５１〜５５ｎ）とで共有する共通鍵で暗号化した宅内暗号情報を生成する宅内情報暗号部と、宅内情報管理装置（５２１〜５２ｎ）が有する宅内情報と識別子とを関係付けて地域情報管理装置（５３１）が備える宅内情報記憶部に記憶する宅内情報蓄積部と、のうちのいずれか一つ又は両方を備えることが好ましい。
【０１３２】
この構成によれば、宅内情報管理装置（５２１〜５２ｎ）は、識別子（瞬時情報管理番号等）を作成したり、宅内暗号情報を作成したり、する必要がないため、宅内情報管理装置（５２１−５２ｎ）の処理量を少なくすることができる。したがって、宅内情報管理装置（５２１−５２ｎ）を安価に作成することが可能である。
また、宅内情報に対して他の処理を適用する場合であっても、宅内情報管理装置（５２１−５２ｎ）になんら修正をおこなうことなく、地域情報管理装置（５３１）の修正のみで対応できるため、修正がし易くなる。
【０１３３】
本発明の一観点によれば、コンテンツ提供装置（５４１〜５４ｎ）は、コンテンツ受信装置（５５１〜５５ｎ）からのコンテンツの要求又は、コンテンツ受信装置（５５１〜５５ｎ）からの宅内情報管理装置（５２１〜５２ｎ）に関するコンテンツ情報を利用したコンテンツの要求に応じて、宅内情報管理装置（５２１〜５２ｎ）に関するコンテンツ情報を利用して作成したコンテンツをコンテンツ受信装置（５５１〜５５ｎ）に対して送信することが好ましい。ここで、「コンテンツ受信装置（５５１〜５５ｎ）からのコンテンツの要求」は、コンテンツ受信装置（５５１〜５５ｎ）がコンテンツ提供装置（５４１〜５４ｎ）に対して、どの宅内情報管理装置（５２１〜５２ｎ）に関するどんなコンテンツ情報をという指定なしで、コンテンツを要求することを意味する。この場合、コンテンツ提供装置（５４１〜５４ｎ）が自ら、どの宅内情報管理装置（５２１〜５２ｎ）に関するどんなコンテンツ情報をという指定を付けて地域情報管理装置（５３１）にコンテンツ情報を要求する。
また、「コンテンツ受信装置（５５１〜５５ｎ）からの宅内情報管理装置（５２１〜５２ｎ）に関するコンテンツ情報を利用したコンテンツの要求」は、以上の第１の実施形態から第３の実施形態で説明しているように、コンテンツ受信装置（５５１〜５５ｎ）がコンテンツ提供装置（５４１〜５４ｎ）に対して、どの宅内情報管理装置（５２１〜５２ｎ）に関するどんなコンテンツ情報をという指定を付けてコンテンツを要求することを意味する。
【０１３４】
この構成によれば、コンテンツ提供装置（５４１〜５４ｎ）は、コンテンツ受信装置（５５１〜５５ｎ）からコンテンツを要求された時刻又は、コンテンツ受信装置（５５１〜５５ｎ）からコンテンツを要求された時刻に近い時刻に取得されたコンテンツ情報を利用したコンテンツをコンテンツ受信装置（５５１〜５５ｎ）に対して送信することが可能となる。
また、コンテンツ提供装置（５４１〜５４ｎ）は、コンテンツ受信装置（５５１〜５５ｎ）から宅内情報管理装置（５２１〜５２ｎ）に関するコンテンツ情報を利用したコンテンツを要求された場合、その宅内情報管理装置（５２１〜５２ｎ）に関するコンテンツ情報を地域情報管理装置（５３１）に対して要求することも可能となる。
【０１３５】
本発明の一観点によれば、コンテンツ受信装置（５５１〜５５ｎ）は、コンテンツを再生することが好ましい。
【０１３６】
この構成によれば、コンテンツ受信装置（５５１〜５５ｎ）は、コンテンツ受信装置（５５１〜５５ｎ）の利用者に対してコンテンツを視聴させることが可能となる。
また、コンテンツに含まれる識別子（瞬時情報管理番号等）と関係付けて地域情報管理装置（５３１）が備える宅内情報記憶部（例えば、５３１−１０）に蓄積されている宅内情報を取得することも可能となる。
また、コンテンツに含まれる宅内暗号情報を地域情報管理装置（５３１）と共有するコンテンツ受信装置（５５１〜５５ｎ）毎に異なる共通鍵で復号し、宅内情報を取得することも可能となる。
【符号の説明】
【０１３７】
５１１〜５１ｎ：  電子機器
５２１〜５２ｎ：  宅内情報管理装置
５３１:  地域情報管理装置
５４１〜５４ｎ：  コンテンツ提供装置
５５１〜５５ｎ：  コンテンツ受信装置
【図１】
2014103500.tif 000003
【図２】
2014103500.tif 000004
【図３Ａ】
2014103500.tif 000005
【図３Ｂ】
2014103500.tif 000006
【図３Ｃ】
2014103500.tif 000007
【図３Ｄ】
2014103500.tif 000008
【図４Ａ】
2014103500.tif 000009
【図４Ｂ】
2014103500.tif 000010
【図５】
2014103500.tif 000011
【図６Ａ】
2014103500.tif 000012
【図６Ｂ】
2014103500.tif 000013
【図６Ｃ】
2014103500.tif 000014
【図７Ａ】
2014103500.tif 000015